【手続補正書】
【提出日】平成29年9月25日(2017.9.25)
【手続補正１】
【補正対象書類名】明細書
【補正対象項目名】００１４
【補正方法】変更
【補正の内容】
【００１４】
本出願者の教示のこれらおよび他の特徴が、本明細書に記載される。
本願明細書は、例えば、以下の項目も提供する。
（項目１）
逐次窓化取得実験の前駆体質量範囲に対する前駆体イオンを選択するために使用される
有効伝送窓を成形する方法であって、
プロセッサを使用して、少なくとも１つの前駆体質量範囲に対して、質量の関数である
イオン伝達関数を選択することと、
前記プロセッサを使用して、サンプルからイオンを伝送する四重極質量フィルタに２つ
以上の伝送窓を経時的に生成するように命令することであって、前記２つ以上の伝送窓は
、前記少なくとも１つの前駆体質量範囲に対する有効伝送窓を累積的に作成し、前記有効
伝送窓は、前記イオン伝達関数によって表される形状を有している、ことと
を含む、方法。
（項目２）
前記イオン伝達関数は、質量の関数として、前駆体イオン伝送の一定の率を定義する、
前記方法項目の任意の組み合わせの方法。
（項目３）
前記イオン伝達関数は、質量の関数として、前駆体イオン伝送の非一定の率を定義する
、前記方法項目の任意の組み合わせの方法。
（項目４）
前記形状は、三角形を含む、前記方法項目の任意の組み合わせの方法。
（項目５）
前記四重極質量フィルタに２つ以上の伝送窓を経時的に生成するように命令することで
あって、前記２つ以上の伝送窓は、前記少なくとも１つの前駆体質量範囲に対する有効伝
送窓を累積的に作成し、前記有効伝送窓は、前記イオン伝達関数によって表される形状を
有している、ことは、
前記四重極質量フィルタに、１つ以上の四重極パラメータを経時的に変動させるように
命令することを含み、前記１つ以上の四重極パラメータは、前記２つ以上の伝送窓の幅、
質量中心、または持続時間に影響を与える、前記方法項目の任意の組み合わせの方法。
（項目６）
前記２つ以上の伝送窓の質量中心に影響を与える四重極パラメータは、無線周波数（Ｒ
Ｆ）パラメータを含み、前記２つ以上の伝送窓の幅に影響を与える四重極パラメータは、
直流（ＤＣ）パラメータに対する前記ＲＦパラメータの比率を含む、前記方法項目の任意の組み合わせの方法。
（項目７）
前記２つ以上の伝送窓の各伝送窓の幅は、前記少なくとも１つの前駆体質量範囲の幅よ
り小さい、前記方法項目の任意の組み合わせの方法。
（項目８）
前記１つ以上の伝送窓は、前記質量範囲の一部が、他より高い頻度で伝送されるように
重複させられる、前記方法項目の任意の組み合わせの方法。
（項目９）
前記２つ以上の伝送窓の各伝送窓の幅は、前記少なくとも１つの前駆体質量範囲の幅よ
り小さく、前記２つ以上の伝送窓のうちの任意の２つの伝送窓間の重複は、前記任意の２
つの伝送窓のうちのいずれかの伝送窓の幅未満である、前記方法項目の任意の組み合わせの方法。
（項目１０）
タンデム質量分析実験のための前駆体イオンを選択するために使用される有効伝送窓を
成形するためのシステムであって、
サンプルからイオンを伝送する四重極質量フィルタと、
前記四重極質量フィルタと通信するプロセッサと
を備え、
前記プロセッサは、取得の間、
少なくとも１つの前駆体質量範囲と質量の関数であるイオン伝達関数とを選択すること
と、
前記四重極質量フィルタに、２つ以上の伝送窓を経時的に生成するように命令すること
であって、前記２つ以上の伝送窓は、前記少なくとも１つの前駆体質量範囲に対する有効
伝送窓を累積的に作成し、前記有効伝送窓は、前記イオン伝達関数の形状を有している、
ことと
を行う、システム。
（項目１１）
前記イオン伝達関数は、質量の関数として、前駆体イオン伝送の一定の率を定義する、
前記システム項目の任意の組み合わせのシステム。
（項目１２）
前記イオン伝達関数は、質量の関数として、前駆体イオン伝送の非一定の率を定義する
、前記システム項目の任意の組み合わせのシステム。
（項目１３）
前記プロセッサは、前記四重極質量フィルタに、前記２つ以上の伝送窓の幅、質量中心
、または持続時間に経時的に影響を与える１つ以上の四重極パラメータを変動させるよう
に命令することによって、前記四重極質量フィルタに、２つ以上の伝送窓を経時的に生成
するように命令し、前記２つ以上の伝送窓は、前記少なくとも１つの前駆体質量範囲に対
する有効伝送窓を累積的に作成し、前記有効伝送窓は、前記イオン伝達関数の形状を有し
ている、前記システム項目の任意の組み合わせのシステム。
（項目１４）
前記２つ以上の伝送窓の質量中心に影響を与える四重極パラメータは、無線周波数（Ｒ
Ｆ）パラメータを含み、前記２つ以上の伝送窓の幅に影響を与える四重極パラメータは、
直流（ＤＣ）パラメータに対する前記ＲＦパラメータの比率を含む、前記システム項目の任意の組み合わせのシステム。
（項目１５）
非一過性の有形コンピュータ読み取り可能な記憶媒体を備えているコンピュータプログ
ラム製品であって、そのコンテンツは、プロセッサ上で実行される命令を伴うプログラム
を含み、前記命令は、逐次窓化取得実験の前駆体質量範囲に対する前駆体イオンを選択す
るために使用される有効伝送窓を成形する方法を実施し、前記方法は、
システムを提供することであって、前記システムは、１つ以上の個別のソフトウェアモ
ジュールを備え、前記個別のソフトウェアモジュールは、選択モジュールおよび制御モジ
ュールを備えている、ことと、
前記選択モジュールを使用して、少なくとも１つの前駆体質量範囲に対して、質量の関
数であるイオン伝達関数を選択することと、
前記制御モジュールを使用して、サンプルからイオンを伝送する四重極質量フィルタに
２つ以上の伝送窓を経時的に生成するように命令することであって、前記２つ以上の伝送
窓は、前記少なくとも１つの前駆体質量範囲に対する有効伝送窓を累積的に作成し、前記
有効伝送窓は、前記イオン伝達関数によって表される形状を有している、ことと
を含む、コンピュータプログラム製品。
（項目１６）
前記イオン伝達関数は、質量の関数として、前駆体イオン伝送の一定の率を定義する、
前記コンピュータ媒体製品項目に記載の任意の組み合わせのコンピュータ媒体製品。
（項目１７）
前記イオン伝達関数は、質量の関数として、前駆体イオン伝送の非一定の率を定義する
、前記コンピュータ媒体製品項目に記載の任意の組み合わせのコンピュータ媒体製品。
（項目１８）
前記四重極質量フィルタに２つ以上の伝送窓を経時的に生成するように命令することで
あって、前記２つ以上の伝送窓は、前記少なくとも１つの前駆体質量範囲に対する有効伝
送窓を累積的に作成し、前記有効伝送窓は、前記イオン伝達関数によって表される形状を
有している、ことは、
前記四重極質量フィルタに、前記２つ以上の伝送窓の幅、質量中心、または持続時間に
経時的に影響を与える１つ以上の四重極パラメータを変動させるように命令することを含
む、前記コンピュータ媒体製品項目に記載の任意の組み合わせのコンピュータ媒体製品。
（項目１９）
前記２つ以上の伝送窓の各伝送窓の幅は、前記少なくとも１つの前駆体質量範囲の幅よ
り小さい、前記コンピュータ媒体製品項目に記載の任意の組み合わせのコンピュータ媒体製品。
（項目２０）
前記１つ以上の伝送窓は、前記質量範囲の一部が、他より高い頻度で伝送されるように
重複させられる、前記コンピュータ媒体製品項目に記載の任意の組み合わせのコンピュータ媒体製品。
【手続補正２】
【補正対象書類名】明細書
【補正対象項目名】００３８
【補正方法】変更
【補正の内容】
【００３８】
図６は、種々の実施形態による、ＳＷＡＴＨ実験において静的２０Ｄａ伝送窓を使用し
て生成された、ポリプロピレングリコール（ＰＰＧ）溶液に対する２０Ｄａ範囲の前駆体
質量スペクトル６１０の例示的プロット６００である。３１７〜３３７ＤａのＳＷＡＴＨ
前駆体質量範囲に対する前駆体イオンは、ＳＷＡＴＨ前駆体質量範囲と本質的に、同一幅
である単一静的伝送窓を使用して伝送された。言い換えると、前駆体質量スペクトル６１
０は、図２に示される伝送窓に類似する伝送窓を使用して生成された。３１７〜３３７Ｄ
ａのＰＰＧ質量スペクトル６１０の質量強度が比較的に均一であることは留意する。